(57)【要約】【課題】  電源コード等の電気接続線を筐体に固定するに於いて、電気接続線を特別な構成にすることなく、また、別部材の追加や組立工程を増やすことなく、製品のコストダウンを実現すると共に、信頼性の高い電気接続線固定装置及びそれを備えた記録装置を提供する。【解決手段】  下部筐体２１の底面の内側に屈曲した溝１１を形成し、該溝１１に電源コード６を屈曲させて収納し固定する。また、前記溝１１に収納された前記電源コード６の上部を機構部フレーム２２によって塞ぎ固定する構成とした。これにより、電源コード６は特別な構成を有することなく下部筐体２１に確実に固定出来、また、別部材の追加も必要ないので、コストダウンを実現した電気接続線固定装置及びそれを備えた記録装置を提供出来る。【選択図】      図６
2006054324.tif 000002
【特許請求の範囲】
【請求項１】
電気接続線を筐体に固定する電気接続線固定装置に於いて、前記筐体に屈曲した溝を形成し、該溝に前記電気接続線を収納して固定することを特徴とする電気接続線固定装置。
【請求項２】
前記屈曲した溝は前記筐体の底面の内側に形成され、前記溝に収納された前記電気接続線の上部を固定部材によって塞ぎ固定することを特徴とする請求項１記載の電気接続線固定装置。
【請求項３】
前記固定部材は機構部フレームであることを特徴とする請求項２記載の電気接続線固定装置。
【請求項４】
前記筐体に形成された前記溝は、複数の屈曲部を有することを特徴とする請求項１乃至３何れかに記載の電気接続線固定装置。
【請求項５】
前記電気接続線は電源コードであることを特徴とする請求項１乃至４何れかに記載の電気接続線固定装置。
【請求項６】
請求項１乃至５に記載の何れかひとつの電気接続線固定装置を備えていることを特徴とする記録装置。
【請求項７】
前記記録装置は、印字ヘッド、紙送り機構を保持する機構部フレーム、該機構部フレームを固定する下部筐体を有するプリンタであることを特徴とする請求項６記載の記録装置。
【発明の詳細な説明】
【技術分野】
【０００１】
本発明は電源コード等の電気接続線を筐体に固定する電気接続線固定装置とこれを備える記録装置に関するものである。
【背景技術】
【０００２】
従来、電子機器の電源コードは様々な形態で筐体に取り付けられ固定されているが、取付け部の部品点数が少なく小型であり、且つ、製品の背面からの突出箇所が少ない電源コードの取付け装置が提案されている（例えば特許文献１参照）。以下、従来の特許文献１を図面に基づいて説明する。図７は従来の電源コードの取付装置の分解斜視図であり、５０は従来の電源コードの取付け装置である。該取付け装置５０は、電源コード５１の取付け基端部５２を保持するケーブル取付部６０が、フレーム６１の一部を利用してフレーム６１の内側に形成されている。
【０００３】
取付け基端部５２は、電源コード５１に対して引っ張りないし曲げ方向に繰り返して力が作用する部分を保護強化し、フレーム６１との絶縁性を図るように絶縁性を有するブロック状のプラスチック製材料で構成されている。また、この取付け基端部５２にはフレーム６１に固定するための係合フランジ５３が、電源コード５１の延びる方向と直交する方向に横方向に張り出すように形成される。一方、フレーム６１には、取付け基端部５２を受け入れる受入部６２が上側が開口した状態で形成されており、この受入部６２の周囲にケーブル取付部６０が形成される。
【０００４】
ケーブル取付部６０は、取付け基端部５２の係合フランジ５３を上方から受け入れる係合溝部６３が形成された案内側板６４と、取付け基端部５２の下面を下方から支持する支持板６５とを備えており、案内側板６４及び支持板６５のいずれもフレーム６１の一部を打ち抜き、内側に折り曲げ加工することにより形成される。このようにフレーム６１の一部を利用してケーブル取付部６０を形成することにより、部品点数を削減出来る。
【０００５】
取付け基端部５２は、この取付け基端部５２をケーブル取付部６０に取り付けた状態において、取付け基端部５２の外側端面５４がフレーム６１の外面とほぼ同一平面上に位置するような形状を備えている。これにより製品の奥行寸法が減少し、省スペースの製品を提供出来る。また、取付け基端部５２の上面は、フレーム６１の上部開放面を閉塞する上蓋６６に形成されるケーブル押さえ部６７によって保持され、このケーブル押さえ部６７とフレーム６１側のケーブル取付部６０とによって、取付け基端部５２が挟持され、フレーム６１に対して固定することが出来る。
【０００６】
以上のように、特許文献１の提案によれば、フレーム６１の一部を利用してケーブル取付部６０を形成するので、ケーブルホルダが不要で電源コードの取付け装置として部品点数を削減出来る。また、取付け基端部５２の外側端部５４がフレーム６１の外面にほぼ同一平面上に位置できるので、製品の背面から突出箇所がなくなり、製品の小型化が可能となる。
【０００７】
【特許文献１】特開２００１−３３９１７９号公報（第３頁、第１図）
【発明の開示】
【発明が解決しようとする課題】
【０００８】
しかしながら、上記文献１の提案では、電源コードの固定のために、プラスチック材によって成る取付け基端部５２を構成しなければならず、この結果、電源コードが特殊な形状となるので取付け基端部５２を成形する特殊な成形型が必要となり、また、電源コードの製造工程が複雑化して工数が増え、コストアップを招いている。また、フレーム６１や上蓋６６は、ケーブル取付部６０やケーブル押さえ部６７を構成するために、打ち抜き工程や曲げ加工工程の追加が必要であり、製造工程が増加して作業性が悪化し、結果として製品のコストアップとなる。
【０００９】
本発明の目的は上記課題を解決し、電源コード等の電気接続線を筐体に固定するに於いて、電気接続線を特別な構成にすることなく、また、別部材の追加を無くして製造工程等を簡素化し、製品のコストダウンを実現すると共に、信頼性の高い電気接続線固定装置及びそれを備えた記録装置を提供することにある。
【課題を解決するための手段】
【００１０】
上記課題を解決するために、本発明の電気接続線固定装置及びこの電気接続線固定装置を備える記録装置は、下記記載の構成を採用する。
【００１１】
本発明の電気接続線固定装置は、電気接続線を筐体に固定する電気接続線固定装置に於いて、前記筐体に屈曲した溝を形成し、該溝に前記電気接続線を収納して固定することを特徴とする。
【００１２】
本発明の電気接続線固定装置により、筐体に形成された屈曲した溝に電気接続線を収納して固定するので、電気接続線は特別な構成を有する必要がなく、また、別部材の追加も必要ないので、製品のコストダウンを実現出来る。
【００１３】
また、前記屈曲した溝は前記筐体の底面の内側に形成され、前記溝に収納された前記電気接続線の上部を固定部材によって塞ぎ固定することを特徴とする。
【００１４】
これにより、屈曲した溝は筐体の底面の内側に形成されるので、筐体内の空きスペースを有効活用でき、製品の小型化に有効である。また、電気接続線の上部は固定部材によって固定されるので、電気接続線に対して外部から様々な方向の引っ張り力が加わっても引き抜かれることがなく、信頼性の高い電気接続線固定装置を提供出来る。
【００１５】
また、前記固定部材は機構部フレームであることを特徴とする。
【００１６】
これにより、固定部材は機構部フレームによって兼用されるので、電気接続線を固定するために別部材を追加する必要が無く、製品の小型化や組み立て工程の簡素化を実現でき、製品のコストダウンに有効である。
【００１７】
また、前記筐体に形成された前記溝は、複数の屈曲部を有することを特徴とする。
【００１８】
これにより、筐体に形成された溝は複数の屈曲部を有するので、該溝に収納される電気接続線は溝に密着して複数回屈曲され、外部から強い引っ張り力が加わっても十分耐えられる強い固定力を持つことが出来る。
【００１９】
また、前記電気接続線は電源コードであることを特徴とする。
【００２０】
これにより、電源コードは特別な構成を有する必要が無く筐体に確実に固定出来るので、製品のコストダウンを実現し、信頼性の高い電源コードのための電気接続線固定装置を提供出来る。
【００２１】
本発明の記録装置は、前記電気接続線固定装置を備えていることを特徴とする。
【００２２】
これにより、本発明の記録装置は前記電気接続線固定装置を備えているので、筐体内の空きスペースを有効活用して電気接続線を確実に固定し、また、電気接続線は特別な構成を必要とせず、電気接続線を筐体に固定するために別部材の追加も不要であるので、装置の小型化、コストダウン、信頼性向上を実現した記録装置を提供出来る。
【００２３】
また、前記記録装置は、印字ヘッド、紙送り機構を保持する機構部フレーム、該機構部フレームを固定する下部筐体を有するプリンタであることを特徴とする。
【００２４】
これにより、記録装置はプリンタであるので、小型でコストが安く、信頼性が向上したプリンタを提供出来る。
【発明の効果】
【００２５】
上記の如く本発明によるならば、筐体に形成された屈曲した溝に電気接続線を収納して固定するので、電気接続線は特別な構成を有する必要がなく、また、別部材の追加も必要ないので、コストダウンを実現した電気接続線固定装置を提供することが出来る。
【発明を実施するための最良の形態】
【００２６】
以下図面により本発明の実施の形態を詳述する。図１は本発明の実施例１の電気接続線固定装置を備える記録装置としてのプリンタの分解斜視図である。図２は本発明の実施例１の電気接続線固定装置の分解斜視図である。図３は本発明の実施例１の電気接続線固定装置に電源コードを収納した分解斜視図である。図４は本発明の実施例１の電気接続線固定装置に固定部材を取り付けた分解斜視図である。図５は本発明の実施例２の電気接続線固定装置に電源コードを収納した分解斜視図である。図６は本発明の実施例２の電気接続線固定装置に固定部材としての機構部フレームを取り付けた分解斜視図である。
【実施例１】
【００２７】
まず図１に基づいて、本発明の電気接続線固定装置を備えたプリンタの概略構成を説明する。図１に於いて、１は本発明の電気接続線固定装置を備えた記録装置としてのプリンタであり、内部構造を明らかにするために上部筐体を取り外して示している。２は記録媒体（図示せず）に印字する印字ヘッドであり、横方向へ往復移動する機構を有している。３は紙送り機構であり、ギア３ａ、ローラ３ｂ、紙送りモータ（図示せず）等によって構成される。４は前記紙送り機構３や印字ヘッド２等の機構部を左右から保持する機構部フレームであり、金属板によって構成され、抜き加工や曲げ加工等によって形成される。５は前記機構部フレーム４を下部から固定する下部筐体であり、一般的にはプラスチック材の成形品によって構成される。６は電気接続線としての電源コードであり、図示していないが後述する本発明の電気接続線固定装置によってプリンタ１に固定され、外部から電源をプリンタ１に供給してプリンタ１を駆動する。
【００２８】
次に図２に基づいて本発明の実施例１の電気接続線固定装置の構成を説明する。図２は図１で示した前記プリンタ１を更に分解し、下部筐体５から印字ヘッド２や紙送り機構３等を保持している機構部フレーム４を取り外して、下部筐体５の内部構成を示している。図２に於いて、１０は下部筐体５に形成される本発明の電気接続線固定装置である。１１は下部筐体５の底面の内側に形成される屈曲した溝であり、該溝１１は下部筐体５と一体成形される二つの屈曲した突起部１２ａ、１２ｂによって構成される。また、溝１１は三つの屈曲部１１ａ、１１ｂ、１１ｃを有している。
【００２９】
１３は下部筐体５の背面に形成される導入孔であり、後述する電源コード６を下部筐
体５の内部に導入する。１４は電源基板であり、プリンタ１が必要とする複数の電圧を生成し出力する。１５は制御基板であり、前記印字ヘッド２や紙送り機構３に制御信号を出力しプリンタ１の全体を制御する。尚、電源基板１４と制御基板１５には、様々な電子部品が実装されているが、ここでは省略している。尚、本発明の電気接続線固定装置１０は、下部筐体５の底面の内側に形成される屈曲した突起部１２ａ、１２ｂによって構成される屈曲した溝１１が主要な構成要素である。
【００３０】
次に図３に基づいて、本発明の実施例１の電気接続線固定装置に電源コードを収納した形態を説明する。尚、図２と同一要素には同一番号を付し重複する説明は省略する。図３に於いて、電気接続線としての電源コード６は、下部筐体５の背面に設けられた導入孔１３を通って下部筐体５の内部に導入される。更に電源コード６は、下部筐体５の底面の内側に設けられた屈曲した突起部１２ａ、１２ｂによって構成される屈曲した構造を有する溝１１の内部に収納される。ここで、溝１１は前述した如く、複数の屈曲部１１ａ〜１１ｃを有しているので、溝１１に収納される電源コード６は、屈曲部１１ａ〜１１ｃによって屈曲させられ、溝１１の屈曲形状に沿って屈曲した形状となって収納される。また、電源コード６の先端部は被覆が取り去られ、２本の電源線６ａ、６ｂは電源基板１４に実装される電源コネクタ１６に接続され、電源コード６のアース線６ｃは電源基板１４に接続されるアースネジ１７に結合される。
【００３１】
以上の構成により、電源コード６は下部筐体５の内部に導入され、電源コネクタ１６を介して外部からの電源を電源基板１４に供給することが出来る。また、電源コード６は前述した如く、屈曲した構造を有する溝１１の内部に収納されるので、電源コード６は溝１１の内部で屈曲され、突起部１２ａ、１２ｂによって挟まれた状態となる。この結果、電源コード６は突起部１２ａ、１２ｂの内壁との摩擦力によって固定され、電源コード６が外部から引っ張り力（矢印Ａ）で強く引っ張られても、下部筐体５から電源コード６が引き離されることはない。尚、二つの突起部１２ａ、１２ｂは一定の距離間隔で形成されることが好ましく、その距離（すなわち溝１１の幅）は、収納される電源コード６の外形寸法及び屈曲強度に応じて最適に設定されることが好ましい。
【００３２】
また、溝１１の屈曲部１１ａ〜１１ｃは本実施例に於いては３箇所としたが、３箇所には限定されず、屈曲部が２箇所以上あれば電源コード６を下部筐体５に固定出来る。また、電源コード６はアース線６ｃを含む３線式としたが、この構成に限定されず、電源コード６は電源線６ａ、６ｂだけの２線式でも良い。また、溝１１を形成する突起部１２ａ、１２ｂは、一方の先端から他方の先端まで連続して形成されることが好ましいが、屈曲部１１ａ〜１１ｃ以外の部分は一部削除されても良い。
【００３３】
以上のように、本発明の電気接続線固定装置によるならば、下部筐体５に形成された屈曲した溝１１に電気接続線としての電源コード６を収納して固定するので、電源コード６は従来例のような特別な構成を有する必要がなく、通常の被覆で覆われた電源線で良く、電源コードのコストダウンを実現出来る。また、電源コード６を収納し固定する溝１１は、下部筐体５の底面の内部に形成される突起部１２ａ、１２ｂによって構成されるが、該突起部１２ａ、１２ｂは成形型によって前記下部筐体５と一体成形されるので、電源コード６の固定のために別部品の追加が必要なく、部品点数を削減しコストダウンを実現出来る。また、溝１１は下部筐体５の底面の内側に形成されるので、下部筐体５の底面の空きスペースを有効活用して電気接続線固定装置を配置でき、製品の小型化に有効である。
【００３４】
次に図４に基づいて、本発明の実施例１の電気接続線固定装置に固定部材を追加し取り付けた形態を説明する。尚、図２及び図３と同一要素には同一番号を付し重複する説明は省略する。図４に於いて、１８は固定部材としての略長方形の固定板であり、前記溝１１に収納されている電源コード６の上部に配置され、固定ネジ１９によって下部筐体５に
固定される。該固定板１８は電源コード６を上部より塞ぎ固定することによって、電源コード６が上部方向に移動して溝１１から外れることを防ぐ機能を有する。すなわち、図３で示した電気接続線固定装置であっても、電源コード６を確実に固定することが出来るが、長期間に渡って外部から電源コード６に引っ張り力が加わり、また、その引っ張り力が左右、又は上下方向等に変化して加わると、電源コード６が上部方向に少しずつ移動して溝１１から外れる可能性がある。
【００３５】
しかし、固定板１８が電源コード６の上部に配置され、電源コード６を上部から固定することにより、長期間に渡って外部から電源コード６に引っ張り力が加わり、また、その引っ張り力が左右、又は上下方向等に変化したとしても、固定板１８によって固定されている電源コード６は溝１１から外れることがないので、長期間に渡って信頼性の高い電気接続線固定装置を提供することが出来る。尚、固定板１８は、本実施例に於いては略長方形であるが、この形状に限定されず、例えば、屈曲した溝１１に沿って溝１１を上部から覆う屈曲形状の固定板であっても良い。
【実施例２】
【００３６】
次に、本発明の電気接続線固定装置の実施例２を図５及び図６に基づいて説明する。尚、実施例２は前述の実施例１と下部筐体等の配置が多少異なるが、構成要素はほとんど同一であるので、実施例１と同一要素には同一番号を付し重複する説明は一部省略する。また、実施例２の特徴は、電源コードを固定する固定部材をプリンタの機構部フレームによって兼用することである。図５は本発明の実施例２の電気接続線固定装置に電源コードを収納した形態を示している。図５に於いて、２０は本発明の実施例２の電気接続線固定装置である。２１は前述のプリンタ１の下部筐体５と多少構造が異なるプリンタの下部筐体であり、該下部筐体２１の底面の内側には実施例１と同様に二つの屈曲した突起部１２ａ、１２ｂが形成され、該突起部１２ａ、１２ｂによって屈曲した溝１１が形成されている。また、溝１１は四つの屈曲部１１ａ〜１１ｄを有している。
【００３７】
下部筐体２１の背面に形成される導入孔１３は電源コード６を下部筐体２１の内部に導入する。下部筐体２１の内部に導入された電源コード６は、前記屈曲した突起部１２ａ、１２ｂによって形成される溝１１の内部に収納される。また、電源コード６の先端部は被覆が取り去られ、前述した実施例１と同様に２本の電源線６ａ、６ｂは電源基板１４に実装される電源コネクタ１６に接続され、アース線６ｃは電源基板１４に接続されるアースネジ１７に結合される。
【００３８】
以上の構成により、電源コード６は下部筐体２１の内部に導入され、電源コネクタ１６を介して外部からの電源を電源基板１４に供給することが出来る。また、電源コード６は、屈曲した構造を有する溝１１の内部に収納されるので、電源コード６は溝１１の内部で屈曲され、突起部１２ａ、１２ｂによって挟まれた状態となる。この結果、電源コード６は突起部１２ａ、１２ｂの内壁との摩擦力によって固定され、電源コード６が外部から引っ張り力（矢印Ａ）で強く引っ張られても、下部筐体５から電源コード６が引き離されることはない。尚、溝１１の屈曲部１１ａ〜１１ｄは実施例１より１箇所多い４箇所存在するが、屈曲部が増えることによって電源コード６と溝１１を構成する突起部１２ａ、１２ｂの内壁との摩擦力が増えるので、電源コード６を更に確実に固定することが出来る。
【００３９】
次に図６に基づいて、本発明の実施例２の電気接続線固定装置２０に固定部材としての機構部フレームを追加し取り付けた形態を説明する。尚、図５と同一要素には同一番号を付し重複する説明は省略する。図６に於いて、２２は固定部材として兼用される略Ｌ字状の機構部フレームの一部であり、前記溝１１に収納されている電源コード６の上部に配置され、二つの取付けネジ２３によって下部筐体２１に固定される。該機構部フレーム２２は、前述の図１で示した機構部フレーム４と同様の機能を有し、図６に於いては図示し
ないが印字ヘッドや紙送り機構等の各機構部を保持する機能を有している。また、該機構部フレーム２２の下面部２２ａは、電源コード６を上部より塞ぎ固定することによって電源コード６が上部方向に移動して溝１１から外れることを防ぐことが出来るので、機構部フレーム２２は電気接続線固定装置２０の固定部材としての機能も有している。
【００４０】
すなわち、固定部材としての機構部フレーム２２が電源コード６の上部に配置され、電源コード６を上部から固定することにより、長期間に渡って外部から電源コード６に引っ張り力が加わり、また、その引っ張り力が左右、又は上下方向等に変化したとしても、機構フレーム２２によって電源コード６が溝１１から外れることがないので、長期間に渡って信頼性の高い電気接続線固定装置を提供することが出来る。また、機構部フレーム２２は固定部材として兼用されるので、電源コード６を上部から固定するために別部材を追加する必要が無く、これにより、本発明の電気接続線固定装置を備えたプリンタは内部スペースを有効活用できるので装置の小型化が可能となり、また、組み立て工程の簡素化を実現でき、製品のコストダウンに有効である。
【００４１】
尚、実施例２に於いて、電気接続線固定装置の固定部材として機構部フレーム２２を兼用したが、兼用する固定部材は機構部フレームに限定されるものではなく、例えば、電源基板１４を図面上左方向に拡張し、電源基板１４によって溝１１の上部を覆うようにしても良い。これにより、電源基板１４によって電気接続線固定装置の固定部材を兼用出来るので、機構部フレーム２２を固定部材として兼用した場合と同様の効果を発揮することが出来る。また、本発明の実施例１及び２共に、電源コードを収納する溝は下部筐体の底面の内側に形成されているが、この配置に限定されるものではない。例えば、下部筐体の内側に溝を形成するスペースが無い場合などに於いては、電源コードを収納する溝を下部筐体の外側の側面又は外側の裏面等に配置しても良い。
【００４２】
これにより、下部筐体の外側の一部は溝の高さだけ多少突出することになるが、電源コードを下部筐体の外側の僅かなスペースで確実に固定することが出来る。また、本発明の電気接続線固定装置の実施例１及び２に於いては、電気接続線を電源コードとして説明したが、これに限定されず、例えば、外部から筐体内部に導入されるインターフェースケーブル等であっても良い。また、本発明の電気接続線固定装置を備える機器はプリンタ等の記録装置としたが、これにも限定されず、電源コードやインターフェースケーブル等を備えた様々な機器に応用することが可能である。
【図面の簡単な説明】
【００４３】
【図１】本発明の実施例１の電気接続線固定装置を備える記録装置としてのプリンタの分解斜視図である。
【図２】本発明の実施例１の電気接続線固定装置の分解斜視図である。
【図３】本発明の実施例１の電気接続線固定装置に電源コードを収納した分解斜視図である。
【図４】本発明の実施例１の電気接続線固定装置に固定部材を取り付けた分解斜視図である。
【図５】本発明の実施例２の電気接続線固定装置に電源コードを収納した分解斜視図である。
【図６】本発明の実施例２の電気接続線固定装置に固定部材としての機構部フレームを取り付けた分解斜視図である。
【図７】従来の電源コードの取付け装置の分解斜視図である。
【符号の説明】
【００４４】
１  プリンタ
２  印字ヘッド
３  紙送り機構
３ａ  ギア
３ｂ  ローラ
４、２２  機構部フレーム
５、２１  下部筐体
６、５１  電源コード
６ａ、６ｂ  電源線
６ｃ  アース線
１０、２０  電気接続線固定装置
１１  溝
１１ａ、１１ｂ、１１ｃ、１１ｄ  屈曲部
１２ａ、１２ｂ  突起部
１３  導入孔
１４  電源基板
１５  制御基板
１６  電源コネクタ
１７  アースネジ
１８  固定板
１９  固定ネジ
２２ａ  下面部
２３  取付けネジ
５０  取付け装置
５２  取付け基端部
５３  係合フランジ
５４  外側端面
６０  ケーブル取付け部
６１  フレーム
６２  受入部
６３  係合溝部
６４  案内側板
６５  支持板
６６  上蓋
６７  ケーブル押さえ部
【図１】
2006054324.tif 000003
【図２】
2006054324.tif 000004
【図３】
2006054324.tif 000005
【図４】
2006054324.tif 000006
【図５】
2006054324.tif 000007
【図６】
2006054324.tif 000008
【図７】
2006054324.tif 000009